(57)【特許請求の範囲】
【請求項１】
送信波に対する反射波を受信する受信器と、
前記受信器からの信号をパルス圧縮して得られた高距離分解能の信号を離散フーリエ変換により積分するＤＦＴ部と、
前記ＤＦＴ部からの信号から目標を検出して目標信号として出力する検出部と、
前記検出部からの目標信号に基づき目標に対してレンジ毎にビーム幅内で位相又は振幅モノパルス方式による測角を複数回行う測角部と、
前記測角部で測角することにより得られた各レンジの測角値により決定されるクロスレンジ方向の目標位置を記憶するメモリと、
前記複数回の観測回数の各々において前記メモリに記憶された複数組の各レンジの目標位置を加算または論理和演算し、目標の形状を得る加算部と、
を備えたことを特徴とするレーダ装置。
【請求項２】
前記ＤＦＴ部は、ドウェルタイムを長くしてドップラ分解処理を行うことによりドップラフィルタで分離した各信号について離散フーリエ変換により積分を行い、
前記検出部は、前記ＤＦＴ部から分離されて積分された信号の各々について目標を検出して目標信号として出力することを特徴とする請求項１記載のレーダ装置。
【請求項３】
前記加算部で得られた目標の形状に対して重心演算を行う重心演算部を備えたことを特徴とする請求項１または請求項２記載のレーダ装置。
【発明の詳細な説明】
【技術分野】
【０００１】
本発明は、航空機、船舶または車両といった目標の形状または形状の重心等を求めるレーダ装置に関する。
【背景技術】
【０００２】
図１０は、従来のレーダ装置の構成を示す図である。このレーダ装置は、信号発生器１、励振器２、サーキュレータ３、空中線４、受信機５、信号処理器６およびレーダ制御器１１から構成されている。信号発生器１は、広帯域チャープ信号を発生して励振器２に送る。励振器２は、信号発生器１から送られてくる広帯域チャープ信号の周波数を変換した後に増幅し、送信信号としてサーキュレータ３を介して空中線４に送る。
【０００３】
空中線４は、励振器２からサーキュレータ３を介して送られてくる送信信号を、電波に変換して空中に送信するとともに、空中から受信した電波を電気信号に変換し、受信信号としてサーキュレータ３を介して受信器５に送る。
【０００４】
受信機５は、空中線４からサーキュレータ３を介して送られてくる受信信号の周波数を変換して信号処理器６に送る。信号処理器６は、詳細は後述するが、受信器５から送られてくる信号に対して信号処理を施すことにより目標を検出する。レーダ制御器１１は、信号処理器６において行われる処理手順を制御する。
【０００５】
信号処理器６は、パルス圧縮部６１、ＤＦＴ部６２、検出部６３および測角部６４から構成されている。パルス圧縮部６１は、受信器５から送られてくる信号をパルス圧縮してＤＦＴ部６２に送る。ＤＦＴ部６２は、パルス圧縮部６１から送られてくる信号を、離散フーリエ変換（ＤＦＴ）することにより積分して検出部６３に送る。
【０００６】
検出部６３は、ＤＦＴ部６２から送られてくる信号を所定のスレッショルドレベルと比較することにより目標を検出し、目標信号として測角部６４に送る。測角部６４は、検出部６３から送られてくる目標信号に対し測角処理を施し、目標の角度および目標までの距離を算出する。
【０００７】
上記のように構成される従来のレーダ装置において、目標の形状を認識する際には、図２（ａ）に示すようなレンジ方向は、例えば非特許文献１に示される広帯域パルス圧縮の技術を用いることにより高いレンジ方向の分解能で観測できるが、クロスレンジ方向（レンジ方向に対して直交する方向）は、通常のビーム幅では分解能が低いため、例えば非特許文献１に示される逆合成開口レーダ（ＩＳＡＲ：Inverse Synthetic Aperture Radar）等を用いてクロスレンジ方向の分解能を向上させている。
【非特許文献１】Donald R. Wehner,”High-Resolution Radar Second Edition”, Artech House(1995), pp.174-180
【非特許文献２】吉田孝監修、「改訂レーダ技術」、初版、社団法人電子情報通信学会、平成１５年２月１５日、ｐｐ２８３−２８５
【発明の開示】
【発明が解決しようとする課題】
【０００８】
しかしながら、上述した従来のレーダ装置においては、目標の形状を認識する際には、目標がレーダ装置に向かって直進しており、クロスレンジ方向の揺らぎが少ないためドップラ成分が存在しない場合は、逆合成開口レーダではクロスレンジ方向の分解能が低く、目標の形状を認識できないという問題がある。
【０００９】
本発明は、上述した問題を解決するためになされたものであり、その課題は、クロスレンジ方向にドップラ成分がなくても、目標の形状を認識できるレーダ装置を提供することにある。
【課題を解決するための手段】
【００１０】
上記課題を解決するために、請求項１記載の発明は、送信波に対する反射波を受信する受信器と、受信器からの信号をパルス圧縮して得られた高距離分解能の信号を離散フーリエ変換により積分するＤＦＴ部と、ＤＦＴ部からの信号から目標を検出して目標信号として出力する検出部と、検出部からの目標信号に基づき目標に対してレンジ毎にビーム幅内で位相又は振幅モノパルス方式による測角を複数回行う測角部と、測角部で測角することにより得られた各レンジの測角値により決定されるクロスレンジ方向の目標位置を記憶するメモリと、複数回の観測回数の各々においてメモリに記憶された複数組の各レンジの目標位置を加算または論理和演算し、目標の形状を得る加算部とを備えたことを特徴とする。
【００１１】
また、請求項２記載の発明は、請求項１記載の発明において、ＤＦＴ部は、ドウェルタイムを長くしてドップラ分解処理を行うことによりドップラフィルタで分離した各信号について離散フーリエ変換により積分を行い、検出部は、ＤＦＴ部から分離されて積分された信号の各々について目標を検出して目標信号として出力することを特徴とする。
【００１２】
また、請求項３記載の発明は、請求項１または請求項２記載の発明において、加算部で得られた目標の形状に対して重心演算を行う重心演算部を備えたことを特徴とする。
【発明の効果】
【００１３】
本発明によれば、目標がレーダ装置に向かって直進し、クロスレンジ方向に揺らぎがなく、ドプラ成分がないような場合であっても、目標の形状を認識できるレーダ装置を提供できる。
【００１４】
具体的には、請求項１記載の発明によれば、目標を距離方向に高距離分解能にて測角し、複数回の観測回数の各々において得られた複数組の各レンジの目標位置を加算または論理和演算するので、複数反射点により形成される角度全てを含んだ形状を認識できる。
【００１５】
また、請求項２記載の発明によれば、同一レンジセル内に複数の目標がある場合でも、移動速度の異なる複数目標の場合は、ドップラバンクで目標を分離し、上述した請求項１記載の発明と同様の処理を行うので、各目標の形状を認識できる。
【００１６】
また、請求項３記載の発明によれば、請求項１記載の発明または請求項２記載の発明において目標の形状を認識した後に、その重心等を算出するので、広がりをもつ目標の特徴的な位置を抽出できる。
【発明を実施するための最良の形態】
【００１７】
以下、本発明の実施の形態の図面を参照しながら詳細に説明する。なお、以下においては、従来のレーダ装置の構成要素と同一または相当する部分には、従来の技術の欄で使用した符号と同じ符号を用いて説明する。また、以下では、送受信信号として、広帯域チャープ信号が用いられるものとする。
【実施例１】
【００１８】
図１は、本発明の実施例１に係るレーダ装置の構成を示すブロック図である。このレーダ装置は、信号発生器１、励振器２、サーキュレータ３、空中線４、受信機５、信号処理器６ａおよびレーダ制御器１１ａから構成されている。
【００１９】
信号発生器１は、広帯域チャープ信号を発生する。この信号発生器１で発生された広帯域チャープ信号は、励振器２に送られる。
【００２０】
励振器２は、信号発生器１から送られてくる広帯域チャープ信号の周波数を変換し、さらに増幅する。この励振器２で周波数変換および増幅された信号は、送信信号としてサーキュレータ３を介して空中線４に送られる。
【００２１】
サーキュレータ３は、励振器２から送られてくる送信信号を空中線４に送るか、空中線４から送られてくる信号を受信器５に送るかを切り替える。
【００２２】
空中線４は、Ｎ（Ｎは正の整数）個のアンテナ素子が間隔ｄで配列されて構成されており、励振器２からサーキュレータ３を介して送られてくる送信信号を、電波に変換して空中に送信するとともに、空中からの電波を受信して電気信号に変換し、受信信号としてサーキュレータ３を介して受信器５に送る。
【００２３】
受信機５は、空中線４からサーキュレータ３を介して送られてくる受信信号の周波数を変換する。この受信器５で周波数が変換されら信号は、信号処理器６ａに送られる。信号処理器６ａは、受信器５から送られてくる信号に対して信号処理を施し、目標およびその形状を検出する。この信号処理器６ａの詳細は後述する。レーダ制御器１１ａは、信号処理器６ａにおいて行われる処理手順を制御する。
【００２４】
次に、信号処理器６ａの詳細を説明する。信号処理器６ａは、パルス圧縮部６１、ＤＦＴ部６２、検出部６３、測角部６４、メモリ６５および加算部６６から構成されている。
【００２５】
パルス圧縮部６１は、受信器５から送られてくる信号に対してパルス圧縮を施す。このパルス圧縮部６１でパルス圧縮が施された信号は、ＤＦＴ部６２に送られる。
【００２６】
ＤＦＴ部６２は、パルス圧縮部６１から送られてくる信号を、離散フーリエ変換（ＤＦＴ）することにより積分する。このＤＦＴ部６２で積分することにより得られた信号は、検出部６３に送られる。
【００２７】
検出部６３は、ＤＦＴ部６２から送られてくる信号を所定のスレッショルドレベルと比較することにより、目標を検出する。この検出部６３で検出された目標を表す目標信号は、測角部６４に送られる。この目標信号は、図２に示すように、目標をレンジ方向に輪切りにして観測した信号である。
【００２８】
図２（ａ）に示すように、距離分解能が低い場合は、目標のレンジ方向の形状を認識することができないが、図２（ｂ）に示すように、距離分解能が高い場合は、目標のレンジ方向の形状を認識することが可能になる。実施例１に係るレーダ装置では、図２（ｂ）に示すような高距離分解能が用いられる。なお、高距離分解能を得るためには、チャープ信号の帯域を変更して広帯域チャープ信号とすることにより実現できる。
【００２９】
測角部６４は、検出部６３から送られてくる目標信号、つまり、輪切りにした各レンジの信号に対して測角処理を実施する。この実施例１に係るレーダ装置においては、測角部６４において位相モノパルス測角方式で測角が行われるものとする。なお、位相モノパルス測角方式については、例えば、『吉田孝監修、「改訂レーダ技術」、初版、社団法人電子情報通信学会、平成１５年２月１５日、ｐｐ２６０−２６４』に説明されている。
【００３０】
位相モノパルス測角方式においては、まず、Σビームが、次式で算出される。
【数１】
0004643475.tif 000002
ここで、
Ｘｅ（ｎ）；アンテナ素子信号（ｎ＝１〜Ｎ）
Ｎ        ；アンテナ素子数
ｄ        ；アンテナ素子間隔
Ｗ（ｎ）  ；アンテナ素子ウェイト
λ        ；波長
θ０      ；ビーム指向方向
次に、Δビームが、次式で算出される。
【数２】
0004643475.tif 000003
【００３１】
次に、上記式（１）式で算出されたΣビーム、および（２）式で算出されたΔビームから、次式により誤差電圧εが算出される。
【数３】
0004643475.tif 000004
ここで、
Ｒｅ；複素数の実数部
その後、あらかじめ用意された誤差電圧εと角度との関係を規定したモノパルス曲線を用いて、誤差電圧εから角度を読み取り、測角値φが求められる。測角部６４は、上述した方法で測角値φをレンジセル毎に算出し、クロスレンジ方向の目標位置として、メモリ６５に格納する。この測角値φの算出は、Ｍ回（Ｍは正の整数）の観測機会において実施される。
【００３２】
メモリ６５は、上述したように、Ｍ回の観測機会の各々において、測角部６４で算出された各レンジの測角値φ、つまりクロスレンジ方向の目標位置を格納する。したがって、Ｍ回の観測機会が終了した時点では、Ｍ組の各レンジの目標位置が格納されることになる。このメモリ６５の内容は、加算部６６によって読み出される。
【００３３】
加算部６６は、Ｍ回の観測が終了した後、メモリ６５からＭ組の目標位置を読み出し、これらをレンジ−クロスレンジ軸上で加算または論理和演算する。これにより、目標の画像が得られる。クロスレンジＲｃは、次式で算出することができる。
【数４】
0004643475.tif 000005
ここで、
Ｒ；目標距離
φ；測角値［ラジアン］
以上のように構成されるレーダ装置の動作を、目標形状取得処理を中心に、図５に示すフローチャート、ならびに図３および図４に示す説明図を参照しながら説明する。この目標形状取得処理は、レーダ制御器１１の制御の下に実施される。
【００３４】
まず、ビームポジションが指定される（ステップＳ１）。すなわち、レーダ制御器１１は、図３（ａ）に示すような方位方向および仰角方向によって規定される観測領域内の１つの方向にビームポジションを指定する。なお、ビームポジションは、観測領域内の全域を観測できるように、所定位置から順次に変更される。
【００３５】
次いで、パルス圧縮が行われる（ステップＳ２）。すなわち、信号発生器１は、広帯域チャープ信号を発生して励振器２に送り、励振器２は、信号発生器１から送られてくる広帯域チャープ信号の周波数変換および増幅を行った後にサーキュレータ３を介して空中線４に送る。
【００３６】
これにより、空中線４から指定された方向に電波が放射される。空中線４は、この電波の反射波を受信してサーキュレータ３を介して受信器５に送り、受信器５は、この信号の周波数を変換して信号処理器６のパルス圧縮部６１に送る。パルス圧縮部６１は、受信器５から送られてくる信号をパルス圧縮する。
【００３７】
次いで、レンジ抽出が行われる（ステップＳ３）。すなわち、図３（ｂ）に示すように、パルス圧縮部６１において、パルス圧縮された信号から１つのレンジに対応する時間軸（ＰＲＩ：Pulse Repetition Interval）方向の信号が抽出され、ＤＦＴ部６２に送られる。次いで、ＤＦＴ処理が行われる（ステップＳ４）。すなわち、ＤＦＴ部６２は、パルス圧縮部６１から送られてくる１つのレンジの信号を、図３（ｃ）に示すように、離散フーリエ変換（ＤＦＴ）により積分し、検出部６３に送る。
【００３８】
次いで、検出が行われる（ステップＳ５）。すなわち、検出部６３は、ＤＦＴ部６２から送られてくる信号を所定のスレッショルドレベルと比較することにより目標を検出し、目標信号として測角部６４に送る。
【００３９】
次いで、測角が行われる（ステップＳ６）。すなわち、測角部６４は、検出部６３から送られてくる目標信号に対して、上述した手順で測角処理を実施する。次いで、メモリ６５への格納が行われる（ステップＳ７）。すなわち、測角部６４は、測角処理により得られた測角値を、クロスレンジ方向の目標位置としてメモリ６５に格納する。これにより、図３（ｄ）に示すように、１つのレンジに対する目標位置（黒丸で示す）がメモリ６５に格納される。
【００４０】
次いで、全レンジに対する処理が終了したかどうかが調べられる（ステップＳ８）。このステップＳ８において、全レンジに対する処理が終了していないことが判断されると、ステップＳ３に戻り、次のレンジに対する処理が行われる。
【００４１】
このようにして、複数のレンジに対する目標位置を求めると、目標の反射点の相違により、目標位置は、図３（ｄ）に示すようにばらつくが、ビーム幅の範囲を逸脱することはない。一方、ステップＳ８において、全レンジに対する処理が終了したことが判断されると、次いで、Ｍ回の観測が終了したかどうかが調べられる（ステップＳ９）。このステップＳ９において、終了していないことが判断されると、ステップＳ２に戻り、次の観測が行われる。
【００４２】
上記ステップＳ９において、Ｍ回の観測が終了したことが判断されると、次いで、加算が行われる（ステップＳ１０）。すなわち、Ｍ回の観測が終了した時点では、メモリ６５には、図４（ａ）に示すような、Ｍ組の各レンジの目標位置が得られるので、加算部６６は、Ｍ組の各レンジの目標位置を加算または論理和演算する。これにより、図４（ｂ）に示すような、Ｍ組の各レンジの目標位置が合成されて、目標の形状が得られる。
【００４３】
次いで、全てのビームポジションに対する処理が終了したかどうかが調べられる（ステップＳ１１）。このステップＳ１１において終了していないことが判断されると、ステップＳ１に戻り、次のビームポジションに対する処理が行われる。一方、ステップＳ１１において、全てのビームポジションに対する処理が終了したことが判断されると、このレーダ装置における目標形状取得処理は終了する。
【００４４】
なお、上述した実施例１に係るレーダ装置では、測角部６４では、位相モノパルス測角方式で測角するように構成したが、振幅モノパルス測角方式で測角するように構成することもできる。
【００４５】
また、上述した実施例１に係るレーダ装置では、レンジ方向の分解能を上げるために、広帯域チャープ信号を用いた方式を採用したが、例えば、ステップ周波数を用いる方式を採用することもできる。
【００４６】
なお、ステップ周波数を用いる方式については、例えば、『Donald R.Wehner,”High-Resolution Radar Second Edition”,Artech House(1995),pp.200-209』や『ae Sok Son,”Range-Doppler Radar Imaging and Motion Compensation”,Artec House(2001),pp.13-15』などに説明されている。
【実施例２】
【００４７】
上述した実施例１に係るレーダ装置では、図６（ａ）に示すように、同一ビーム幅内の同一レンジに複数の目標（目標１および目標２）が存在する場合は、正しく目標の形状を認識することができない。
【００４８】
そこで、本発明の実施例２に係るレーダ装置は、図６（ｂ）に示すように、各目標の移動速度の差を利用してドップラ分解処理を行うことによりドップラフィルタで目標を分離した後、各々のフィルタバンクにおいて実施例１で説明した処理を実施する。
【００４９】
この際、各目標の移動速度が似通っていれば、図７（ａ）および図７（ｂ）に示すように、分解能１／Ｔ１が低くなり、目標が同一バンクに入ってしまうため、目標をドップラフィルタで分離することができない。
【００５０】
この場合は、図７（ｃ）および図７（ｄ）に示すように、目標にビームを照射し続ける時間であるドウェルタイムＴ（ＰＲＩ×ヒット数）を長くして、ドップラフィルタの分解能１／Ｔ２をあげ、各々の目標が別バンクに入るように制御する。ドウェルタイムＴは、ＤＦＴ部６２のパラメータを変更することにより長くすることができる。これにより、ドップラフィルタによって目標を分離し、その後、実施例１で説明した処理を実施するように構成する。
【実施例３】
【００５１】
本発明の実施例３に係るレーダ装置は、実施例１または実施例２に係るレーダ装置によって得られた目標形状から、さらに目標の重心位置を求めるようにしたものである。
【００５２】
図８は、実施例３に係るレーダ装置の構成を示すブロック図である。このレーダ装置は、実施例１に係るレーダ装置に、重心演算部６７が追加されて構成されている。
【００５３】
重心演算部６７は、加算部６６の処理により目標形状が認識された後、図９に示すように直交する軸（Ｘ軸、Ｙ軸）に振幅を射影したものを、Ａｘ（ｎ）（ｎ＝１〜Ｎ）、Ａｙ（ｍ）（ｍ＝１〜Ｍ）とすると、次式による重心演算を実施して、重心位置Ｘｇ，Ｙｇを算出する。
【数５】
0004643475.tif 000006
ここで、
Ａｘ（ｎ）；Ｘ（ｎ）の位置に射影した振幅
Ａｙ（ｎ）；Ｙ（ｎ）の位置に射影した振幅
重心位置Ｘｇは、振幅Ａｘ（ｎ）が最大となるＸ軸座標である。また、重心位置Ｙｇは、振幅Ａｙ（ｎ）が最大となるＹ軸座標である。
【００５４】
なお、この実施例３では、重心位置を求めるように構成したが、目標の形状の中の特徴的な位置を示すために、重み付け等を行って他の位置を求めるように構成することもできる。
【産業上の利用可能性】
【００５５】
本発明は、目標の検出のみならず、目標の形状または形状の重心等を求めるレーダ装置に適用可能である。
【図面の簡単な説明】
【００５６】
【図１】本発明の実施例１に係るレーダ装置の構成を示すブロック図である。
【図２】本発明の実施例１に係るレーダ装置のレンジ方向の分解能を説明するための図である。
【図３】本発明の実施例１に係るレーダ装置において行われる目標形状取得処理を説明するための図である。
【図４】本発明の実施例１に係るレーダ装置の加算部において行われる加算処理を説明するための図である。
【図５】本発明の実施例１に係るレーダ装置の動作を説明するためのフローチャートである。
【図６】本発明の実施例２に係るレーダ装置において行われる処理を説明するための図である。
【図７】本発明の実施例２に係るレーダ装置において行われる処理を説明するための図である。
【図８】本発明の実施例３に係るレーダ装置の構成を示すブロック図である。
【図９】本発明の実施例３に係るレーダ装置において行われる重心演算処理を説明するための図である。
【図１０】従来のレーダ装置を説明するための図である。
【符号の説明】
【００５７】
１  信号生成器
２  励振器
３  サーキュレータ
４  空中線
５  受信器
６  信号処理器
６１  パルス圧縮部
６２  ＤＦＴ部
６３  検出部
６４  測角部
６５  メモリ
６６  加算部
６７  重心演算部
【図１】
0004643475.tif 000007
【図２】
0004643475.tif 000008
【図３】
0004643475.tif 000009
【図４】
0004643475.tif 000010
【図５】
0004643475.tif 000011
【図６】
0004643475.tif 000012
【図７】
0004643475.tif 000013
【図８】
0004643475.tif 000014
【図９】
0004643475.tif 000015
【図１０】
0004643475.tif 000016